(57)【要約】成端装置を受容するための複数の開口部を有するオーガナイザープレートを備える電気コネクタアセンブリ。各成端装置は、遮蔽ボックス、絶縁体、及びソケット接触子を備える。遮蔽ボックスは、少なくとも１つの外向きに延在する接地接触要素及びラッチ部材を有する。成端装置がオーガナイザープレートの開口部に挿入された場合、遮蔽ボックス上のラッチ部材がオーガナイザープレートの表面と係合し、成端装置の引抜きを防ぐ。
2009522747.tif 000002
【特許請求の範囲】
【請求項１】
それを通って延在する複数の開口部を有するオーガナイザープレートと、
複数の成端装置と、を備え、
各成端装置が、
前方端部及び後方端部を有する導電性外側遮蔽ボックスであって、その側面に配置された、少なくとも１つの外向きに延在する接地接触要素と、それから延在するラッチ部材とを有する遮蔽ボックス、
前記遮蔽ボックス内に配置された絶縁体、及び
前記絶縁体内に支持され、前記絶縁体により前記遮蔽ボックスから電気的に絶縁されたソケット接触子であって、前記遮蔽ボックスの前記前方端部と後方端部を通して電気的接続を作製するように構成された前記ソケット接触子、
を備える電気コネクタアセンブリであって、
個々の前記成端装置が前記オーガナイザープレートの対応する開口部に挿入される場合、前記ラッチ部材が前記オーガナイザープレートの表面と係合し、前記成端装置の前記対応する開口部からの抜き取りに耐える、電気コネクタアセンブリ。
【請求項２】
第一側部及び第二側部を有するアダプタをさらに備え、
前記アダプタの前記第一側部が、前記オーガナイザープレート及び成端装置を受容するよう構成され、
前記アダプタの前記第二側部が、前記成端装置遮蔽ボックスの前記前方端部を通してシグナルピンの配列を導くよう構成され、その中に前記ソケット接触子との電気的接続を作製し、前記遮蔽ボックスの前記接地接触要素との電気的接続へ接地ブレードの配列を導く、請求項１に記載の電気コネクタアセンブリ。
【請求項３】
前記複数の成端装置が各々電気ケーブルを成端し、前記電気ケーブルが第一引張応力の適用により前記成端装置から分離可能であり、前記遮蔽ボックスの前記ラッチ部材が、前記第一引張応力未満である第二引張応力の適用時、前記対応する開口部からの前記成端装置の引抜きを可能にするよう構成される、請求項１に記載の電気コネクタアセンブリ。
【請求項４】
前記オーガナイザープレートが、
各横列オーガナイザープレートが頂縁部及び底縁部、前記頂縁部から前記底縁部へ向かって延在する複数の第一スロット、並びに、前記底縁部を離れて前記頂縁部から延在する複数の整列腕部を画定する、複数の平面横列オーガナイザープレートと、
前記複数の横列オーガナイザープレートに対して交差するように位置する複数の平面縦列オーガナイザープレートであって、各縦列オーガナイザープレートが頂縁部及び底縁部、前記底縁部から前記頂縁部へ向かって延在する複数の第二スロット、並びに、前記頂縁部から前記底縁部へ延在する複数の位置決めチャネルを画定する、縦列オーガナイザープレートとを含み、
前記横列オーガナイザープレートの前記第一スロットが、前記縦列オーガナイザープレートの前記第二スロットと噛み合い、前記横列オーガナイザープレートの前記整列腕部が、前記縦列オーガナイザープレートの前記位置決めチャネルにより保持される、請求項１に記載の電気コネクタアセンブリ。
【請求項５】
前記複数の横列オーガナイザープレートが、さらに前記成端装置のキーイング部材を受容するように構成された分極チャネルを画定し、前記分極チャネル及びキーイング部材が、前記開口部内に所定の配向で前記成端装置を配置するように協同する、請求項４に記載の電気コネクタアセンブリ。
【請求項６】
前記成端装置の前記ラッチ部材が、前記成端装置が所定の配向でない限り、前記オーガナイザープレートと係合しない、請求項５に記載の電気コネクタアセンブリ。
【請求項７】
前記複数の横列オーガナイザープレート及び縦列オーガナイザープレートを受容し、シグナルピンを前記ソケット接触子と電気的接触するように導くよう構成されたアダプタをさらに備え、前記複数の横列オーガナイザープレート及び縦列オーガナイザープレートの少なくとも一部が前記アダプタを構造的に支持するよう構成される、請求項４に記載の電気コネクタアセンブリ。
【請求項８】
前記アダプタと係合するように構成されたシグナルピンの配列を備えるピンヘッダをさらに備える、請求項７に記載の電気コネクタアセンブリ。
【請求項９】
前記縦列オーガナイザープレートが、前記アダプタと係合し、前記横列及び縦列オーガナイザープレートの取り外しに抵抗するラッチ腕部を含む、請求項７に記載の電気コネクタアセンブリ。
【請求項１０】
前記縦列オーガナイザープレートが、１を超える配向で前記アダプタに挿入されるよう構成される、請求項９に記載の電気コネクタアセンブリ。
【請求項１１】
前記複数の横列オーガナイザープレートが各々分極鍵をさらに画定し、前記分極鍵が前記横列オーガナイザープレートを１つのみの所定の配向で前記アダプタに挿入することを可能にする、請求項７に記載の電気コネクタアセンブリ。
【請求項１２】
前記オーガナイザープレートが、高分子材料、金属、及び高分子材料で外側被覆された金属フレームのうち１つで作製される、請求項１に記載の電気コネクタアセンブリ。
【請求項１３】
前記オーガナイザープレートが導電性材料で作製される、請求項１に記載の電気コネクタアセンブリ。
【請求項１４】
前記オーガナイザープレートが電気接地（electrical ground）と電気接続する、請求項１３に記載の電気コネクタアセンブリ。
【請求項１５】
各横列オーガナイザープレートが、頂縁部及び底縁部、前記頂縁部から前記底縁部へ延在する複数の第一スロット、並びに、前記底縁部から離れて前記頂縁部から延在する複数の整列腕部を画定する、複数の平面横列オーガナイザープレートと、
前記複数の横列オーガナイザープレートに対して交差するように位置づけられる複数の平面縦列オーガナイザープレートであって、各縦列オーガナイザープレートが、頂縁部及び底縁部、前記底縁部から前記頂縁部へ延在する複数の第二スロット、並びに、前記底縁部から離れて前記頂縁部から延在する複数の位置決めチャネルを画定する縦列オーガナイザープレートと、
を含む、電気コネクタアセンブリに用いるためのオーガナイザーであって、
前記横列オーガナイザープレートの前記第一スロットが、前記縦列オーガナイザープレートの前記第二スロットと噛み合い、前記横列オーガナイザープレートの前記整列腕部が、前記縦列オーガナイザープレートの前記位置決めチャネルにより保持される、前記オーガナイザー。
【請求項１６】
中心コンダクタ及び前記中心コンダクタを取り囲む接地シールドを備える電気ケーブルと、
前記中心コンダクタに連結するソケット接触子と、
前記ソケット接触子の周囲に配置される絶縁性部材と、
前記絶縁性部材の周囲に配置され、前記接地シールドから離間する導電性遮蔽ボックスと、
前記接地シールド及び前記導電性遮蔽ボックスの間に配置されるはんだ付け可能なカラーであって、前記カラーが、前記カラー及び前記遮蔽ボックスの間の第一はんだ空隙と、前記カラー及び前記接地シールドの間の第二はんだ空隙とを画定するように構成されたカラーと、
を含む電気コネクタ。
【請求項１７】
前記第一及び第二はんだ空隙が約０．００５インチ（０．０１３ｃｍ）以下である、請求項１６に記載の電気コネクタアセンブリ。
【請求項１８】
前記カラーが、前記第一及び第二はんだ空隙に溶融したはんだを運ぶよう構成されたキャピラリチャネルを備える、請求項１６に記載の電気コネクタアセンブリ。
【請求項１９】
前記導電性遮蔽ボックスが、少なくとも１つの外向きに延在する接地接触要素及び前記遮蔽ボックスの少なくとも１つの側面から延在するラッチ部材を画定する、請求項１６に記載の電気コネクタアセンブリ。
【請求項２０】
ケーブル用電気成端装置とともに用いられるリデューシングカラーであって、
前記成端装置が、
導電性遮蔽ボックスと、
接地シールドに取り囲まれる中心コンダクタを含むケーブルと、
を備え、
前記リデューシングカラーが、
内面と外面を画定する導電性本体を含み、
前記内面が前記ケーブル接地シールドを取り囲み、且つ、それから離間するように構成され、
前記外面が前記遮蔽ボックスの内部に嵌装され、且つ、それから離間するように構成される、リデューシングカラー。
【請求項２１】
前記本体が、前記本体と前記ケーブル接地シールド、及び前記本体と前記遮蔽ボックスの間にはんだを運ぶよう構成される、少なくとも１つのチャネルを備える、請求項２０に記載のリデューシングカラー。
【請求項２２】
前記本体が、折り畳み、曲げ、注入成形、機械加工、成型、冷間成形、引抜き及び押出加工の少なくとも１つにより形成される、請求項２０に記載のリデューシングカラー。
【請求項２３】
前記内面が概して円筒形形状を画定し、前記外面が概して方形形状を画定する、請求項２０に記載のリデューシングカラー。
【発明の詳細な説明】
【技術分野】
【０００１】
（関連出願の相互参照）
本出願は、米国仮出願番号台６０／７６３，７３３号（２００６年１月３１日出願）及び同第６０／８２４，３３２号（２００６年９月１日出願）、並びに米国特許出願第１１／６２７，２５８号（２００７年１月２５日出願）の利益を主張し、これらの開示はその全体が本明細書に参照として組み込まれる。
【０００２】
（発明の分野）
本開示は、高速電気コネクタに関する。具体的には、本発明は、高信号線密度を実現し、一方で信号線に遮蔽制御インピーダンス（ＳＣＩ）を提供する電気コネクタに関する。
【背景技術】
【０００３】
集積回路と他の回路基板の相互接続部、ケーブル又は電子装置は当該技術分野において既知である。かかる相互接続部は通常、特に信号線密度が比較的低い場合、相互接続部又はプリント基板の伝導体を通して信号を伝搬するのに必要な時間の長さと比較して、回路開閉速度（信号伝送時間とも呼ばれる）が遅い場合、形成は困難ではない。相互接続部の寸法及び信号伝送時間の両方に対するユーザの要求がよりきつくなった場合、物理的寸法及び電気的性能の両方の観点で満足のゆくコネクタの設計及び製造はより困難になる。
【発明の開示】
【発明が解決しようとする課題】
【０００４】
高速回路、即ち、少なくとも５ＧＨｚの伝送周波数の回路に必要なインピーダンス制御を提供するコネクタが開発された。これらのコネクタの多くは有用であるが、当該技術分野においては、信号品位の十分な制御を達成するために、厳密に制御された電気的特性を有する信号線密度の増大したコネクタ設計に対する必要性が依然として存在する。
【課題を解決するための手段】
【０００５】
本明細書に記載した発明の一様態は、電気コネクタアセンブリを提供する。本発明による一実施形態では、電気コネクタアセンブリは、それを通じて延在する複数の開口部と、複数の成端装置を有するオーガナイザープレートを備える。各成端装置は、前方端部と後方端部を有する導電性外側遮蔽ボックスを備える。遮蔽ボックスは、その側面上に配置される少なくとも１つの外向きに延在する接地接触要素と、それから延在するラッチ部材を有する。絶縁体は遮蔽ボックス内に配置される。ソケット接触子は、絶縁体によって遮蔽ボックス内に支持され、遮蔽ボックスから電気的に絶縁される。ソケット接触子は、遮蔽ボックスの前方端部と後方端部を通じて電気的接続を作製するよう構成される。個々の成端装置がオーガナイザープレートの開口部に挿入される際、ラッチ部材がオーガナイザープレートの表面に係合し、成端装置の引抜きを防ぐ。
【０００６】
本明細書で記載した本発明の別の様態は、電気コネクタアセンブリに用いるためのオーガナイザーである。本発明による一実施形態では、オーガナイザーは、複数の平面横列オーガナイザープレートと複数の平面縦列オーガナイザープレートとを備える。複数の平面縦列オーガナイザープレートは、複数の横列オーガナイザープレートに対して交差するように位置づけられる。各横列オーガナイザープレートは、頂縁部及び底縁部、頂縁部から底縁部に延在する複数の第一スロット、底縁部から離れて頂縁部から延在する複数の整列腕部を画定する。各縦列オーガナイザープレートは、頂縁部及び底縁部、底縁部から頂縁部に延在する複数の第二スロット、底縁部から離れて頂縁部から延在する複数の位置決めチャネルを画定する。横列オーガナイザープレートの第一スロットは、横列オーガナイザープレートの第二スロットと噛み合い、横列オーガナイザープレートの整列腕部は、縦列オーガナイザープレートの位置決めチャネルによって保持される。
【０００７】
本明細書で記載した本発明の別の様態は、電気コネクタを提供する。本発明による一実施形態では、電気コネクタは、中心伝導体と中心伝導体を取り囲む接地シールドを備える電気ケーブル、中心伝導体に連結するソケット接触子、ソケット接触子の周囲に配置される絶縁性部材、絶縁性部材の周囲に配置され、接地シールドから離間する導電性遮蔽ボックス、及び接地シールドと導電性遮蔽ボックスの間に配置されるはんだ付け可能なカラーを備える。カラーは、カラーと遮蔽ボックスの間の第一はんだ間隙及びカラーと接地シールドの間の第二はんだ間隙を画定するよう構成される。
【発明を実施するための最良の形態】
【０００８】
以下の発明を実施するための最良の形態では、本明細書の一部を構成する添付の図面を参照し、本発明を実施することができる特定の実施形態を例として示す。この点に関して、「上部」、「下部」、「前部」、「後部」「リーディング」、「トレーリング」等のような方向に関する用語は、記載されている図の方向に関して使われる。本発明の実施形態の構成要素は多くの異なる方向に位置づけられ得るので、方向に関する用語は、説明のために使われるものであって、決して限定するものではない。他の実施形態を利用することもでき、また、構造的または論理的な変更を、本発明の範囲から逸脱することなく行うことができることを理解すべきである。以下の詳細な説明は、したがって、限定的な意味で解釈されるべきではなく、また、本発明の範囲は、添付の特許請求の範囲によって定義される。
【０００９】
図１を参照すると、複数の成端装置１２を受容、固定及び管理するように構成された保持装置又はオーガナイザープレート１０が示されている。オーガナイザープレート１０は、オーガナイザープレート１０の第一側部１６から第二側部１８へ延在する複数の開口部１４を備える。図の明確性のために、図１には成端装置１２（成端電気ケーブル２０）を２つのみ示したが、オーガナイザープレート１０は各開口部１４に成端装置１２を収容することを目的とする。
【００１０】
図２及び３で最もよく見られるように、キャリア又はアダプタ３０は、オーガナイザープレート１０を受容するように構成され、オーガナイザープレート１０を、オーガナイザープレート１０の特定の用途又は使用に適合させるように機能する。本明細書で図示した実施形態では、アダプタ３０は、オーガナイザープレート１０中の成端装置１２がピンヘッダ（図１には図示せず）と嵌合することを可能にするよう構成される。
【００１１】
図示した実施形態では、図３及び図４で最もよく見られるように、組み立てた際に複数の金属プレート３２ａ、３２ｂが複数の開口部１４を画定するように、オーガナイザープレート１０は、それぞれ噛み合いスロット３４ａ、３４ｂ（集合的にスロット３４）を有する、交差するように位置づけられ、相互連結される複数の金属プレート３２ａ、３２ｂ（集合的にプレート３２）で形成される。図５Ａ〜５Ｂを参照すると、一実施形態では、少なくとも１つの相互連結された金属プレート３２ａ、３２ｂは各交点に、スロット３４ａ又は３４ｂのいずれかの側部から延在する一対の突出部３６を備える。金属プレート３２ａ、３２ｂが相互連結した後、突出部３６は変形し（用具３８のように）、スロット３４の開放端部が接近し、それにより金属プレート３２ａ、３２ｂを持続的に噛み合わせる。本発明による他の実施形態では、オーガナイザープレート１０は、高分子材料の成型及び／又は機械加工、金属の成型及び／又は機械加工、高分子材料で外側被覆された金属フレームの構築を含む、他の手段により形成される。
【００１２】
ここで図６〜９を参照すると、オーガナイザープレート１０とともに用いられ得る成端装置１２の代表的な実施形態が図示されている。図６は、電気ケーブル２０とともに用いられる代表的な成端装置１２の分解図を示し、一方図７〜９は、成端装置１２の個々の要素の詳細図を提供する。成端装置１２は、長手方向導電性遮蔽ボックス４０、絶縁体４２、及び１つのソケット接触子４４を備える。
【００１３】
図５、６及び７Ａ〜７Ｉを参照すると、導電性遮蔽ボックス４０は、前方端部４６、後方端部４８、及び非円形横断面を画定する側面５０ａ〜５０ｄ（集合的に本明細書では「側面５０」と呼ばれる）を有する。図示した実施形態は、実質的に正方形の横断面を画定する４つの側面５０を含むが、遮蔽ボックス４０は、他の非円形横断面を画定する他の数の側面を有してよい。図示したように、遮蔽ボックス４０は、対向する側面５０ａ及び５０ｃに配置された、側方に突出する弾性接地接触ビーム５２を備える。他の実施形態では、遮蔽ボックス４０は、１つの接地接触ビーム５２のみを備える。ラッチ部材５４は、少なくとも１つの側面５０から延在する。成端装置１２が、オーガナイザープレート１０の開口部１４に、矢印５６（図１）の方向に挿入される際、ラッチ部材５４は、オーガナイザープレート１０の第二側部１８が通過するまで、弾性的に内向きに（遮蔽ボックス４０の内部に向かって）たわみ、第二側部１８が通過した時ラッチ部材５４は元の位置に戻ってオーガナイザープレート１０の第二側部１８と係合し、成端装置１２の引抜きに耐える（図４で最もよく見られる）。一実施形態では、ラッチ部材５４は、個々のケーブルアセンブリ２０を取り換える目的のために、成端装置１２をその関連する開口部１４から引き抜けるように、取り付けられたケーブル２０を破壊するのに必要な力より小さな力で屈する（即ち、変形）ように設計される。図６に図示した実施形態では、ラッチ部材５４は、接地接触ビーム５２のうち１つと同じ側面５０ａ上に示されている。しかしながら、他の実施形態では、ラッチ部材５４は、接地接触ビーム５２（図７Ａ）を含まない遮蔽ボックス４０の側面５０に位置する。遮蔽ボックス４０は、タブ６０の形態で、遮蔽ボックス４０の後方端部４８から側方に延在するキーイング部材を備える。成端装置１２を矢印５６の方向にオーガナイザープレート１０に挿入した場合、確実に成端装置１２が正確な所定の配向でオーガナイザープレート１０に挿入されるように、タブ６０は、オーガナイザープレート１０（図４）の各開口部１４に隣接する凹部６２に嵌装される。成端装置１２が、オーガナイザープレート開口部１４内に適切に配向されない場合、ラッチ部材５４がオーガナイザープレートの第二側部１８に係合できないように、成端装置１２を完全に挿入することはできない。一実施形態では、タブ６０は（例えば、用具を使用することにより、又は矢印ａの挿入方向に過剰な力を適用することにより）変形可能であり、及び、直線になって、損傷した又は欠陥のある要素を置換又は修理できるように、損傷した又は欠陥のある成端装置１２を、オーガナイザープレート１０を通して完全に押すことを可能にすることができる。図は、遮蔽ボックス４０が接地接触ビーム５２を備えることを示すが、接地接触ビーム５２の代わりにヘルツバンプのような他の接触要素構造を使用することは、本発明の範囲内である。
【００１４】
図６及び８Ａ〜８Ｉを参照すると、絶縁体４２は、前方端部４６に隣接する遮蔽ボックス４０内に配置された第一絶縁性部材７０と、後方端部４８に隣接する遮蔽ボックス４０内に配置された第二絶縁性部材７２を備える。一実施形態では、第一及び第二絶縁性部材７０、７２は、適切に位置づけられ、１以上の絶縁性スペーサバー７４により互いに対して離間する。図示した実施形態では、３つのスペーサバー７４が設けられている。第一及び第二絶縁性部材７０、７２並びにスペーサバー７４は、ソケット接触子４４（図９Ａ〜９Ｆ）を受容する形状であり、ソケット接触子４４が遮蔽ボックス４０の長手軸に実質的に平行に位置するように、遮蔽ボックス４０内に摺動自在に挿入されるよう構成される。好ましい実施形態では、第一及び第二絶縁性部材７０、７２並びにスペーサバー７４は、成端装置１２の実効誘電率を調整し、それにより５０Ωのような所望の目標値前後に、成端ケーブルアセンブリ１２の特徴的なインピーダンスを調整するために、空気がソケット接触子４４を取り囲む優位な誘電性物質であるように、ソケット接触子４４及び遮蔽ボックス４０に関連して成形され、位置づけられる。一実施形態では、絶縁体４２のスペーサバー７４は、遮蔽ボックス４０内の嵌合開口部８２にはめ込む、側方に突出するラッチ要素８０を備え、遮蔽ボックス４０内の絶縁体４２を適切に配向及び維持する。絶縁体４２（ソケット接触子４４を収容する）が遮蔽ボックス４０に挿入される際、ラッチ要素８０を有するスペーサバー７４は、遮蔽ボックス４０内で嵌合開口部８２と係合するまで、内向きに（接触子４４に向かって）変形する。有利なことに、絶縁体４２が遮蔽ボックス４０に不適切に組み立てられた場合（即ち、ラッチ要素８０が開口部８２と整列又は係合しないような）、ラッチ要素８０の存在によって、組み立てられた成端装置１２がオーガナイザープレート１０の開口部１４に嵌装されないように、遮蔽ボックス４０が膨らみ、それにより不適切に組み立てられた成端装置１２の設置及び使用を妨げるであろう。
【００１５】
一実施形態では、成端装置１２は、電気ケーブル２０の信号伝導体９０がソケット接触子４４に取り付けられ、電気ケーブル２０の接地シールド９２が、はんだ付けのような従来の手段を用いて成端装置１２の遮蔽ボックス４０に取り付けられるように、電気ケーブル２０の成端用に構成される。電気ケーブルの種類は、単線ケーブル（例えば、単一同軸ケーブル又は単一二軸ケーブル）であってよい。一実施形態では、ソケット接触子４４の、ケーブル２０の中心導体９０への取り付けに先立ち、接地シールド９２をはんだ浸漬過程により補強する。ソケット接触子４４を中心導体９０へ取り付けた後、ソケット接触子４４を絶縁体４２に摺動自在に挿入する。準備されたケーブル２０の端部と絶縁体４２は、ソケット接触子４４が絶縁体４２の端部７０に完全にはめ込まれる前に、補強された接地シールド９２が絶縁体４２の端部７２に耐えるように構成される。従って、絶縁体４２（その中にソケット接触子４４を有する）が次に遮蔽ボックス４０に摺動自在に挿入される際、補強された接地シールド９２が作用し、絶縁体４２を遮蔽ボックス４０に押し、ソケット接触子４０が挿入方向に絶縁体４２を押すことを防ぐ。この様式では、ソケット接触子４４は、ソケット接触子４４とヘッダの適切な接続を妨げる可能性がある、遮蔽ボックス４０に絶縁体４２を挿入している間適用される力に対する反応により、ケーブル２０内に押し戻されることを防ぐ。
【００１６】
一実施形態では、はんだ流動蒸気がはんだ付け中通気し得るように、絶縁体４２の第一及び第二絶縁性部材７０、７２並びにスペーサバー７４は、遮蔽ボックス４０の領域間に開口経路を提供するように構成され、接地シールド９２と遮蔽ボックス４０のラッチ５４の下領域にはんだ付けされる。
【００１７】
本開示を読めば理解できるように、遮蔽ボックス４０の寸法は、開口部１４内に嵌装するような寸法でなければならない。しかしながら、幾つかの実施では、成端されるケーブル２０の寸法は、特定の遮蔽ボックス４０の寸法に最適なケーブル寸法より小さい。つまり、場合によっては、遮蔽ボックス４０は、小さな口径のケーブル２０を確実に成端するには大きすぎる場合がある。具体的には、遮蔽ボックス４０とケーブル２０の接地シールド９２間の空隙が大きすぎて、十分に大きい又は強いはんだ隅肉を形成するようはんだで確実に埋めることができない。多くの場合はんだに空所が発生し、約０．０１３ｃｍ（０．００５インチ）より厚い隅肉は非常に弱く、これらはともにケーブル引抜き抵抗力を低下させ得るため、一般に、約０．０１３ｃｍ（０．００５インチ）より大きなはんだ隅肉は避けられる。かかる状況では、図２１を参照すると、遮蔽ボックス４０の内部と電気ケーブル２０の接地シールド９２の間にリデューシングカラー３００が設けられる。直径の小さなケーブルを成端する場合、リデューシングカラー３００は、接地シールド９２と遮蔽ボックス４０の間の過剰な空隙を充填し、接地シールド９２と遮蔽ボックス４０との間に強く確実なはんだ隅肉を確実に達成し得る。図２１では、絶縁体４２がリデューシングカラー３００用挿入深度止め（insertion depth stop）として機能するように、リデューシングカラー３００は絶縁体４２に隣接する。従って、リデューシングカラー３００は、遮蔽ボックス４０とケーブルシールド９２との間の過剰に大きな空隙を充填し、溶融したはんだが容易に流動し強い隅肉を形成し得る、小さな空隙３０４、３０６を形成する。一実施形態では、リデューシングカラー３００は、溶融したはんだを空隙３０４、３０６に引き込むように構成される。一実施形態では、リデューシングカラーは、溶融したはんだが１又は幾つかの領域のみに流れ込む際、遮蔽ボックス４０、リデューシングカラー３００、及びケーブル接地シールド９２の表面全てに溶融したはんだを引き込むキャピラリとして作用する１以上のチャネル（それぞれ、図２２、２３、２４、２５及び２６のスロット３０２、３１４、３２４、及び３４４のような）を有する。一実施形態では、リデューシングカラー３００の厚さは、約０．０１３ｃｍ（０．００５インチ）を超えない、はんだで充填するための空隙３０４、３０６を提供するように選択される。バンプ又は他の形状を、リデューシングカラー３００の内側及び外側表面、ケーブル２０の接地シールド９２上の中心カラー３００、及び遮蔽ボックス２０内に形成してよい。一実施形態では、リデューシングカラー３００は、はんだが必要とされない表面上、及びはんだ隅肉が望ましいはんだメッキ（ニッケル上でよい）上にはんだバリア（例えば、ニッケル）を備える。はんだバリアは、適用されるはんだ容量を低減し、それによりコストを低減し、はんだの稠度を向上させる。
【００１８】
リデューシングカラー３００は幾つかの異なる実施形態を想定してよく、幾つかの異なる様式で製造され得る。図２２の実施形態では、リデューシングカラー３００ａは、折り畳まれたストリップ材料から形成される本体３０１を含み、横から接地シールド９２上にリデューシングカラー３００ａを取り付けるのを可能にするよう、片側３０４を開口する。一実施形態では、リデューシングカラー３００ａは、片開きリデューシングカラー３００が遮蔽ボックス４０内に圧縮及び挿入された時点で、遮蔽ボックス４０内に残存するように弾性材料から形成される。スロット３０２は、溶融したはんだを遮蔽ボックス４０、リデューシングカラー３００ａ及びケーブル接地シールド９２の表面全てに引き込むキャピラリとして作用する。
【００１９】
別の実施形態では、図２３に示すように、リデューシングカラー３００ｂは、継ぎ目のない単一材として形成され、フェルールを適用する際ケーブル２０の端部から滑り落ちる本体３１１を備える。リデューシングカラー３００ｂは、接地シールド９２の概して円筒形の形状に一致する、概して円筒形の内側表面３１０を画定し、さらに遮蔽ボックス４０内部の概して方形形状と一致する対して方形の外側表面３１２を画定する。内側表面３１０及び外側表面３１２の形状は、空隙３０４、３０６の一致した寸法を維持するのに役立つ。スロット３１４は、溶融したはんだを遮蔽ボックス４０、リデューシングカラー３００ｂ、及びケーブル接地シールド９２の表面全てに引き込むキャピラリとして作用する。リデューシングカラー３００ｂは、例えば、注型、機械加工、金属射出成形（ＭＩＭ）、冷間成形等により、所望の形状に形成してよい。
【００２０】
さらに別の実施形態では、図２４に示すように、リデューシングカラー３００ｃは継ぎ目のない深い引抜管である。リデューシングカラー３００ｃの本体３２１は、接地シールド９２の概して円筒形の形状に一致する、概して円筒形の内側表面３２０を画定し、さらに遮蔽ボックス４０内部の概して方形形状と一致する概して方形の外側表面３２２を画定する。内側表面３２０及び外側表面３２２の形状は、空隙３０４、３０６の一致した寸法を維持するのに役立つ。スロット３２４は、溶融したはんだを遮蔽ボックス４０、リデューシングカラー３００ｃ、及びケーブル接地シールド９２の表面全てに引き込むキャピラリとして作用する。
【００２１】
さらに別の実施形態では、図２５に示すように、リデューシングカラー３００ｄは、平坦に形成された部分を有する深い引抜管である。リデューシングカラー３００ｄの本体３３１は、接地シールド９２の概して円筒形の形状に一致する深い引抜管により画定される概して円筒形の内側表面３３０を備え、一方外側表面３３２の平坦に形成された表面は、遮蔽ボックス４０の内部の概して方形の形状に一致する。内側表面３３０及び外側表面３３２の形状は、空隙３０４、３０６の一致した寸法を維持するのに役立つ。スロット３３４は、溶融したはんだを遮蔽ボックス４０、リデューシングカラー３００ｄ、及びケーブル接地シールド９２の表面全てに引き込むキャピラリとして作用する。
【００２２】
さらに別の実施形態では、図２６に示すように、リデューシングカラー３００ｅは、コイル間に小さな空隙３４４を有する巻バネ状本体３４１である。空隙３４４は、溶融したはんだを遮蔽ボックス４０、リデューシングカラー３００ｅ、及びケーブル接地シールド９２の表面全てに引き込むキャピラリとして作用する。接地シールド９２及び遮蔽ボックス４０に沿ったコイル間のはんだ隅肉は、コイル状リデューシングカラー３００ｅが高速信号用途で誘導子のように作動することを防ぐ。
【００２３】
図示の目的のために、キャリア又はアダプタ３０の単一構造が示され、本明細書で記載される。しかしながら、アダプタ３０の主要な特性は、オーガナイザープレート１０の特定の用途及び使用に対して汎用的であることである。具体的には、図２〜４を参照すると、アダプタ３０は、内面１００ａと外面１００ｂを有する概して平面的な前壁１００を備える。前壁１００は、横列及び縦列に配置された複数のピン挿入開口部１０２を備えるように形成される。ピン挿入開口部１０２の間は、これも横列及び縦列に配置されたブレード挿入開口部１０４である（図１０で最も見られる）。アダプタ３０は、オーガナイザープレート１０及び内面１００ａが支持する成端装置１２を受容するように構成され、さらに、外面１００ｂ上に構成され、成端装置遮蔽ボックス４０の前方端部４６を通してシグナルピン１０６の配列を導いて、その中にソケット接触子４４と電気的接続を作製し、遮蔽ボックス４０の接地接触ビーム５２との電気的接触へ接地ブレード１０８の配列を導く。
【００２４】
図２〜４に図示した実施形態では、アダプタ３０は、オーガナイザープレート１０を受容し固定するための電気的絶縁筐体１１０と、筐体１１０内にオーガナイザープレート１０を固定するためのロードプレート１１２を備える。筐体１１０は、図４で最もよく見られるように、上記概して平面的な前壁１００を備え、さらに、内面１００ａ上に複数の凹部１１４を備え、これは各凹部１１４が成端装置１２の前方端部４６を受容するように構成される。凹部１１４は、ピン挿入開口部１０２とブレード挿入開口部１０４に対して成端装置１２の前方端部４６を適切に位置づける。筐体１１０はまた、一対の側方に延在する上及び底側壁１２０を備える。端部壁１１２もまた設けられる。側壁１２０は、内側に面し、側方に延在する肩部１２４を画定するような形状である。肩部１２４は、金属プレート３２ａの端部を受容するためのスロット１２６ａを備える。同様に、端部壁１２２は、金属プレート３２ｂの端部を受容するためのスロット１２６ｂを備える。一実施形態では、筐体１１０内の金属プレート３２ａ、３２ｂの端部及びスロット１２６ａ、１２６ｂは、キーイング機構を備え、筐体１１０内のオーガナイザープレート１０の不正確な取り付けを防ぐ。代表的なキーイング機構は、図１１の丸で囲んだ部分１２８に模式的に図示されるように、異なって切り込みのあるプレート３２ａ及び／又は３２ｂの端部、並びに、対応して異なる側壁１２０及び端部壁１２２のスロット１２６ａ及び／又は１２６ｂを備える。
【００２５】
側壁１２０の肩部１２４はまた、ロードプレート１１２上の嵌合干渉肩部１３０と係合するように構成される。筐体肩部１２４及びロードプレート干渉肩部１３０は協同して、ロードプレート１１２を筐体１１０に固定する際、ロードプレート１１２を筐体１１０内に適切に位置づける。さらに、ロードプレート１１２の干渉肩部１３０はまた、金属プレート３２ａ、３２ｂの端部を圧し、筐体１１０のスロット１２６ａ、１２６ｂ内にオーガナイザープレート１０を完全にはめ込むよう機能する。筐体１１０とロードプレート１１２は、ラッチング機構を備え、筐体１１０とロードプレート１１２を嵌合した状態に維持する。図示した実施形態では、側壁１２０は、ロードプレート１１２内で嵌合開口部１４２と係合するように構成される、複数の後方に延在するラッチ腕部１４０を備える。筐体１１０とロードプレート１１２は、絶縁性高分子材料の成型及び／又は機械加工を含む、任意の従来の手段により作製される。
【００２６】
電気コネクタアセンブリを組み立てるために、成端装置１２（図示した実施形態では成端ケーブル２０）は、ラッチ部材５４が、オーガナイザープレート１０の第二（内側）表面１８を超えて延在するのに十分な程度、オーガナイザープレート１０の開口部１４を通して挿入される。成端装置１２は、次いで、ラッチ部材５４がオーガナイザープレート１０の内面１８と係合し、成端装置１２のさらなる引抜きを防ぐように、僅かに引き抜かれる。オーガナイザープレート１０と取り付けられた成端装置１２は、内面１００ａに隣接する成端装置１２の前方端部４６が凹部１１４に捕捉されるように、筐体１１０に挿入される。ロードプレート１１２は筐体１１０に固定され、完全にオーガナイザープレート１０と成端装置１２をはめ込む。
【００２７】
図１２及び１５を参照すると、本発明で用いることのできる代表的なピンヘッダ１５０を図示している。ヘッダ１５０は、内面１５２ａと外面１５２ｂを有する垂直前壁１５２と、側方に延在する上及び底壁１５４を備える。垂直前壁１５２は、シグナルピン１０６用の複数のピン挿入ウインドウ及び接地ブレード１０８用の複数のブレード挿入ウインドウを備えるよう形成され、そこでシグナルピン１０６及び接地ブレード１０８は壁１５２を通して延在する。使用中、シグナルピン１０６及び接地ブレード１０８がそれぞれ、成端装置１２のピン挿入開口部１０２とブレード挿入開口部１０４を通して摺動し、それぞれ、成端装置１２のソケット接触子４４及び接地接触ビーム５２と嵌合するように、ピンヘッダ１５０の外面１５２ｂが、筐体１１０’の前壁１００の外面１００ｂと接触するように、ヘッダ１５０はアダプタ３０’と嵌合する。本発明で用いることのできる別の有用なピンヘッダは、米国特許第６，１４６，２０２号（レイミー（Ramey）ら）に開示されている。
【００２８】
図１３及び１４を参照すると、シグナルピン１０６及び接地ブレード１０８と係合した状態で示された成端装置１２をより理解することができる。図１３では、ある成端装置１２の一部とアダプタ３０は、明確性のために除去されている。図１４で最もよく見られるように、図示した実施形態では、各接地ブレード１０８は２つの隣接する成端装置１２の接地接触ビーム５２と接触する。
【００２９】
図１２を再び参照すると、コネクタ系は、その上にソケットコネクタ１６１を有するプリント基板（ＰＣＢ）１６０とつないで使用するよう示されている。図示のように、一端に成端装置１２を有する成端されたケーブルアセンブリ１６２は、キャリアアダプタ３０の片側に取り付けられ、一方ピンヘッダ１５０はキャリアアダプタ３０の別の側に取り付けられる。ピンヘッダ１５０は、次いで、シグナルピン１０６及び接地ブレード１０８をソケットコネクタ１６１の嵌合容器１６４に挿入することにより、ソケットコネクタ１６１に接続される。ピンヘッダ１５０は、シグナルピン１０６及び／又は接地ブレード１０８及び成端装置１２間の十分に大きな摩擦推力によりキャリアアダプタ３０に固定してよい。この摩擦推力の代わりに又は加えて、ピンヘッダ１５０は追加機械的締結具とともにキャリアアダプタ３０に締結してよい。
【００３０】
図１５を参照すると、本発明による一実施形態では、オーガナイザープレート１０は、オーガナイザープレート１０及びロードプレート１１２’が同時に筐体１１０’に設置されるように、ロードプレート１１２’と一体的に形成される。図１５の実施形態では、筐体１１０’及びロードプレート１１２’（即ち、アダプタ３０’）は、図２〜４で図示され、説明されたものとは異なるラッチング機構を備える。具体的には、筐体１１０’の側壁１２０’は、ロードプレート１１２’が筐体１１０’に挿入される際、ロードプレート１１２’から延在する突出部１７２を受容するように位置づけられ、構成される開口部１７０を備える。筐体１１０’及びロードプレート１１２’がまた、筐体１１０’及びロードプレート１１２’が、オーガナイザープレート１０を２つの分離領域成端受容領域に分離するよう構成された分割セプタム１７４を備える点で、図２〜４のアダプタ３０とは異なる形状である。セプタム１７４はさらに、ピンヘッダ１５０’をアダプタ３０’に固定するために用いられる、ピンヘッダ１５０’から延在する整列及び保持要素１７６と協同するように構成される。
【００３１】
ここで図１６を参照すると、オーガナイザープレート及びアダプタの別の実施形態が概略的に図示されている。図１６の実施形態では、アダプタ３０”は、上記のように分離した筐体とロードプレート要素（それぞれ、１１０、１１０’及び１１２、１１２’）ではなく、単一要素を含む。オーガナイザープレート１０”の金属プレート３２ａ”、３２ｂ”の少なくとも一部は、一体型保持部材又はアダプタ３０”の側壁１２０”と係合するように構成されたラッチ腕部１８０を備え、それによりアダプタ３０”からのオーガナイザープレート１０”の意図しない引抜きを防ぐ。アダプタ３０”からオーガナイザープレート１０”を取り外すために、ラッチ腕部１８０は側壁１２０”との係合から外れてたわむ。
【００３２】
ここで図１７Ａ及び１７Ｂを参照すると、一実施形態では、遮蔽ボックス４０は上記のようにキーイング部材（即ち、タブ６０）を備えず、絶縁体４２が代わりにキーイング部材を備えるように形成され、確実に成端装置１２を正確な所定の配向でオーガナイザープレート１０に挿入する。図１７Ａで最もよく見られるように、絶縁体４２は、遮蔽ボックス４０の前方端部４６を超えて延在する突出部１９０を備える。突出部１９０は、筐体１１０の前壁１００の嵌合凹部と係合するように構成される。図１７Ｂで最もよく見られるように、一実施形態では、突出部１９０は、前壁１００のシグナルピン挿入開口部１０２の一部を形成するよう構成される。
【００３３】
ここで、図１８Ａ及び１８Ｂを参照すると、保持装置又はオーガナイザープレート２１０の別の実施形態が図示されている。オーガナイザープレート１０に関して上述したように、オーガナイザープレート２１０は複数の成端装置１２を受容、固定及び管理するように構成される。オーガナイザープレート２１０は、オーガナイザープレート２１０の第一側部２１６から第二側部２１８へ延在する複数の開口部２１４を備える。図の明確性のために、成端装置１２及び関連する電気ケーブル２０は図１８Ａ及び１８Ｂでは図示しないが、オーガナイザープレート２１０は各開口部２１４に成端装置１２（図１〜４、６〜９Ｆ、及び１３〜１５に示したもののような）を収容するように構成されることを理解されたい。
【００３４】
キャリア又はアダプタ２３０は、オーガナイザープレート２１０を受容するように構成される。アダプタ２３０は、オーガナイザープレート２１０を、オーガナイザープレート２１０の特定の用途及び使用に適合させるよう機能する。本発明で図示した実施形態では、アダプタ２３０は、オーガナイザープレート２１０内の成端装置１２がピンヘッダ（上記図１３〜１５に関して記載したピンヘッダ１５０のような）と嵌合することを可能にするよう構成される。本明細書の記載を読んだ後評価されるように、アダプタ２３０は、図２〜４のアダプタ３０と実質的に同じように構成され、機能するが、アダプタ２３０は、アダプタ２３０内にオーガナイザープレート２１０を固定するためのロードプレートを必要としない。例えば、一実施形態では、アダプタ２３０は、アダプタ３０に関して上述した前壁１００と実質的に同じように構成される前壁２３１を備え、これは成端装置１２の前方端部４６を受容するように構成され、成端装置１２の前方端部４６を適切に位置づける凹部１１４を含む。アダプタ２３０はまた、一対の側方に延在する側壁２３３を備え、端部壁２３４もまた備える。側壁２３３は、金属プレート２３２ａの端部を受容するためのスロット２２６ａを備える。同様に、端部壁２３４は、金属プレート２３２ｂの端部を受容するためのスロット２２６ｂを備える。
【００３５】
図示した実施形態では、オーガナイザープレート２１０は、組み立てた場合、複数の金属プレート２３２ａ、２３２ｂが複数の開口部２１４を画定するように、それぞれ、噛み合いチャネル又はスロット２３４ａ、２３４ｂ（集合的にスロット２３４）を有する、複数の交差するように位置づけられ、相互連結された実質的に平面の金属プレート２３２ａ、２３２ｂ（集合的に平面２３２）で形成される。プレート２３２の機構は、図１９及び２０で最もよく見られる。プレート２３２ａ、２３２ｂにより画定された４つの壁で境界づけられた、各開口部２１４は、アダプタ２３０の前壁２３１上の整列機構により成端装置１２の整列を導き、嵌合表面形状で確実に位置決めする。所望により、外側横列及び縦列開口部（即ち、オーガナイザープレート２１０の周辺部におけるこれらの開口部２１４）は、プレート２３２により画定される３つの壁及びアダプタ２３０により画定される１つの壁により境界づけられてよい。
【００３６】
図１９を参照すると、単一プレート２３２ｂ（本明細書で「横列オーガナイザープレート」又は単に「横列オーガナイザー」としても呼ばれる）が図示されている。横列オーガナイザープレート２３２ｂは、上端２４３及び底端２４４を画定する。整列腕部２４０は、底縁部２４４から離れて上縁部２４３から延在し、オーガナイザープレート開口部２１４に成端装置１２を挿入するのに役立つよう構成される。具体的には、整列腕部２４０は、成端装置１２挿入の初期段階で開口する開口部２１４を有するアセンブラ整列成端装置１２を補助する。各腕部２４０の端部は、以下で詳細に記載するように、互いに噛み合ったプレート２３２ａをロックするように構成されたラッチ２４２を画定する。ラッチ２４２は、プレート２３２ａ、２３２ｂがアダプタ２３０の外側で組み立てられる場合、アセンブリをともに保持する。本開示を読んだ後に理解されるように、ラッチ２４２はまた、それぞれの整列腕部２４０を所定の位置に保持し、処理及び成端装置１２の開口部２１４への挿入中、整列腕部２４０の不慮の屈折を防ぐ。
【００３７】
横列オーガナイザープレート２３２ｂの底縁部２４４は、開口部２１４へ挿入される際、成端装置１２のラッチ腕部５４と係合し、それにより成端装置１２を対応する開口部２１４に保持し、アダプタ２３０の嵌合面に対する成端装置１２の位置を維持する。図６〜７Ｉをさらに参照すれば理解されるように、成端装置１２がオーガナイザープレート２１０の開口部２１４に挿入される際、ラッチ部材５４は、横列オーガナイザープレート２３２ｂの底縁部２４４が通過するまで、弾力的に内向きに（遮蔽ボックス４０の内部に向かって）たわみ、通過した時ラッチ部材５４は元の位置に戻って横列オーガナイザープレート２４４の底縁部２４４と係合し、成端装置１２の引抜きに耐える。
【００３８】
横列オーガナイザープレート２３２ｂはさらに、その対向する端部上に挿入止め２４６をさらに備え、挿入止め２４６は、整列腕部２４０のラッチ２４２がオーガナイザープレート２３２ａの相互機構と完全に係合し（以下でさらに詳細に記載されるように）、また成端装置１２のラッチ部材５４が、アダプタ２３０の前壁３００に対して停止する前に底縁部２４４と係合するように、アダプタ２３０のオーガナイザープレート２３２ｂを位置づけるよう構成される。
【００３９】
分極鍵２３６は、アダプタ２３０が相互に１つの配向のみで分極鍵２３６を受容するような形状である際、横列オーガナイザープレート２３２ｂがアダプタ２３０に不正確に挿入されるのを防ぐ。横列オーガナイザープレート２３２ｂはさらに、成端装置１２のキーイング部材を受容するように構成された複数の分極チャネル２３８を備える。図６〜７Ｆをさらに参照することにより理解されるように、成端装置１２の遮蔽ボックス４０は、遮蔽ボックス４０の後方端部４８から側方に延在する、タブ６０の形態のキーイング部材を備える。成端装置１２がオーガナイザープレート２１０に挿入される際、タブ６０はオーガナイザープレート２１０のチャネル２３８に嵌装され、成端装置１２が正確な所定の配向でオーガナイザープレート開口部２１４に挿入されるのを確実にする。成端装置１２がオーガナイザープレート開口部２１４内で適切に配向されない場合、ラッチ部材５４がオーガナイザープレート２１０の第二側部２１８と完全に係合できないように、成端装置１２を完全に挿入できない。
【００４０】
図２０を参照すると、１つのプレート２３２ａ（本明細書ではまた「縦列オーガナイザープレート」又は単に「縦列オーガナイザー」とも呼ばれる）が図示されている。縦列オーガナイザープレート２３２ａは、頂縁部２５４及び底縁部２５６を画定し、縦列オーガナイザープレート２３２ａが横列オーガナイザープレート２３２ｂ（図１８Ａ）上に設置される際、整列腕部２４０のラッチ２４２を捕捉するための複数のガイドスロット２５０を備える。具体的には、ガイドスロット２５０は頂縁部２５４に隣接するよう位置づけられ、横列オーガナイザープレート２３２ｂの不整合整列腕部２４０のラッチ２４２を捕捉し、横列及び縦列オーガナイザープレート２３２ｂ、２３２ａの組み立て中、対応する位置決めチャネル２５２に腕部２４０を導くような形状である。位置決めチャネル２５２は、所定の位置に整列腕部２４０を堅く保持し、処理及び成端装置１２の挿入中のたわみに耐える。一実施形態では、縦列オーガナイザープレート２３２ａの頂縁部２５４及び底縁部２５６はそれぞれ、傾斜して、遮蔽ボックス４０上の導電性メッキが成端装置１２の挿入中磨耗するのを防ぐ。
【００４１】
縦列オーガナイザープレート２３２ａはさらに、アダプタ２３０に係合するように構成されたプレート２３２ａ（図１８Ａに最もよく見られる）により画定された平面から外へ延在するラッチ腕部２６０を備え、それにより縦列オーガナイザープレート２３２ａをアダプタ２３０にロックする。この様式では、ヘッダ嵌合及び引抜き力を成端ケーブル２０に適用する間、成端装置１２が押出力を受ける際、それぞれ、縦列及び横列オーガナイザープレート２３２ａ、２３２ｂの後退が防がれる。一実施形態では、縦列オーガナイザープレート２３２ａの対向する縁部上のラッチ腕部２６０は、縦列オーガナイザープレート２３２ａが２つの配向のいずれかで挿入されてよいように、プレート２３２ａの対向する面に向かって延在する。具体的には、図１８Ａに最もよく見られるように、一実施形態では、ラッチ腕部２６０と係合するウインドウ又は凹部２３７は、反対側に片寄ったウインドウ２３７が反対側に延在するラッチ腕部２６０と協同し、それにより縦列オーガナイザープレート２３２ａが１８０°回転するのを可能にし、さらにアダプタ２３０にうまくラッチするように、スロット２２６ａの対向する面に向かって片寄る。
【００４２】
側タブ２５８は、アダプタ２３０内にオーガナイザープレート２３２ａを整列するように構成され、アダプタ２２０内への挿入中表面を押すことによりラッチ腕部２６０が損傷するのを防ぐ。一実施形態では、側タブ２５８は、さらに、アダプタ２３０の側壁２３３が、ヘッダ（図示せず）から外す間掴握される時のように、内向きに破砕されるのを防ぐよう構成される。この様式では、少なくとも縦列オーガナイザープレート２３２ａは、構造的支持及び剛性をアダプタ２３０に提供する。最終的に、挿入止め２６２は、組み立て中アダプタ２３０内の縦列オーガナイザープレート２３２ａの移動を制限し、それぞれ、縦列及び横列オーガナイザープレート２３２ａ、２３２ｂの変形を防ぐ。
【００４３】
縦列及び横列オーガナイザープレート２３２ａ、２３２ｂはそれぞれ、アダプタ２３０の外側の部品にオーガナイザープレート２１０を形成するよう組み立ててよく、次いで組み立て単位としてアダプタ２３０内に挿入する。一実施では、組み立てられたオーガナイザープレート２１０は、プリント基板に直接取り付けるように、アダプタ２３０なしで用いられる。この実施では、空気流に対して直接開口する場合、オーガナイザープレート２１０を形成する金属プレート２３２ａ、２３２ｂはまた、効果的なヒートシンクとして作用し、それにより成端装置１２を通して増加した電流を移動させるのを可能にする。一実施形態では、オーガナイザープレート１０、２１０（単独で又はアダプタ３０、２３０内で）は、電気接地と電気的に接続して、遮蔽する又は遮蔽ボックス４０を増強若しくは置換してよい。
【００４４】
或いは、縦列及び横列オーガナイザープレート２３２ａ、２３２ｂは、それぞれ、アダプタ２３０に個々に直接配置されてよい。この組立方法を用いて、横列オーガナイザープレート２３２ｂはまずアダプタ２３０に挿入される。縦列オーガナイザープレート２３２ａは、次いで、アダプタ２３０に挿入され、同時にアダプタ２３０内の横列オーガナイザープレート２３２ｂと噛み合い及び保持する。
【００４５】
本明細書において特定の実施形態が例示及び説明されてきたが、本発明の範囲から逸脱することなく、多様な代替及び／又は同等の実施態様が特定の実施形態と置き換えられ得ることは、当業者には明白であろう。本出願は、本明細書で説明された特定の実施形態のいかなる翻案又は変形をも包含すべく意図されている。従って、本発明が請求項及びその同等物によってのみ限定されることを、意図するものである。
【００４６】
添付の図面を参照しながら本発明をさらに説明するが、いくつかの図面における類似の参照番号は類似の部分を表している。
【図面の簡単な説明】
【００４７】
【図１】本発明の一実施形態による成端装置を受容するためのオーガナイザープレートの斜視図。
【図２】アダプタの一実施形態に挿入するため位置づけられた、図１のオーガナイザープレートと成端装置の斜視図。
【図３】アダプタの別の実施形態に挿入するために位置づけられた、組立分解状態の図１のオーガナイザープレートを示す斜視図。
【図４】図組立状態の図３のオーガナイザープレート、成端装置、及びアダプタの部分断面図。
【図５Ａ】図１のオーガナイザープレートを形成する個々のプレートを固定する一つの方法を模式的に図示している。
【図５Ｂ】図１のオーガナイザープレートを形成する個々のプレートを固定する一つの方法を模式的に図示している。
【図６】組立分解状態の図１の成端装置の斜視図。
【図７Ａ】図６の成端装置の遮蔽ボックス（box shield）の平面及び断面図。
【図７Ｂ】図６の成端装置の遮蔽ボックス（box shield）の平面及び断面図。
【図７Ｃ】図６の成端装置の遮蔽ボックス（box shield）の平面及び断面図。
【図７Ｄ】図６の成端装置の遮蔽ボックス（box shield）の平面及び断面図。
【図７Ｅ】図６の成端装置の遮蔽ボックス（box shield）の平面及び断面図。
【図７Ｆ】図６の成端装置の遮蔽ボックス（box shield）の平面及び断面図。
【図７Ｇ】図６の成端装置の遮蔽ボックス（box shield）の平面及び断面図。
【図７Ｈ】図６の成端装置の遮蔽ボックス（box shield）の平面及び断面図。
【図７Ｉ】図６の成端装置の遮蔽ボックス（box shield）の平面及び断面図。
【図８Ａ】図６の成端装置中の絶縁体の平面及び断面図。
【図８Ｂ】図６の成端装置中の絶縁体の平面及び断面図。
【図８Ｃ】図６の成端装置中の絶縁体の平面及び断面図。
【図８Ｄ】図６の成端装置中の絶縁体の平面及び断面図。
【図８Ｅ】図６の成端装置中の絶縁体の平面及び断面図。
【図８Ｆ】図６の成端装置中の絶縁体の平面及び断面図。
【図８Ｇ】図６の成端装置中の絶縁体の平面及び断面図。
【図８Ｈ】図６の成端装置中の絶縁体の平面及び断面図。
【図８Ｉ】図６の成端装置中の絶縁体の平面及び断面図。
【図９Ａ】図６の成端装置のソケット接触子の平面及び断面図。
【図９Ｂ】図６の成端装置のソケット接触子の平面及び断面図。
【図９Ｃ】図６の成端装置のソケット接触子の平面及び断面図。
【図９Ｄ】図６の成端装置のソケット接触子の平面及び断面図。
【図９Ｅ】図６の成端装置のソケット接触子の平面及び断面図。
【図９Ｆ】図６の成端装置のソケット接触子の平面及び断面図。
【図１０】図２〜４のアダプタの前壁の平面図であり、シグナルピン挿入開口部及び接地ブレード挿入開口部の配列を示す。
【図１１】アダプタ内のオーガナイザープレートの不正確な取り付けを防ぐように構成されたキーイング機構の断面図。
【図１２】プリント基板上のソケット接触子と接続するために位置づけられた、代表的な電気コネクタアセンブリの斜視図。
【図１３】断面図で示したある成端装置を有する、ピンヘッダと係合する複数の成端装置を示す斜視図。
【図１４】ピンヘッダと係合する図１３の成端装置を示す上面図。
【図１５】オーガナイザープレート、アダプタ及びピンヘッダの別の実施形態を示す斜視図。
【図１６】一体型保持部材を有するオーガナイザープレートの実施形態を示す概略断面図。
【図１７Ａ】代替キーイング機構を有する成端装置の別の実施形態を示す斜視図。
【図１７Ｂ】代替キーイング機構を有する成端装置の別の実施形態を示す斜視図。
【図１８Ａ】本発明による組立分解状態のオーガナイザープレートとアダプタの別の実施形態を示す斜視図。
【図１８Ｂ】本発明による組立られた状態の図１８Ａのオーガナイザープレートとアダプタを示す斜視図。
【図１９】図１８Ａ及び１８Ｂのオーガナイザープレートの横列オーガナイザーの平面図。
【図２０】図１８Ａ及び１８Ｂのオーガナイザープレートの縦列オーガナイザーの平面図。
【図２１】本発明によるリデューシングカラーを有する成端装置の一部の断面図。
【図２２】本発明によるリデューシングカラーの一実施形態の斜視図。
【図２３】本発明によるリデューシングカラーの別の実施形態の斜視図。
【図２４】本発明によるリデューシングカラーの別の実施形態の斜視図。
【図２５】本発明によるリデューシングカラーの別の実施形態の斜視図。
【図２６】本発明によるリデューシングカラーの別の実施形態の斜視図。
【図１】
2009522747.tif 000003
【図２】
2009522747.tif 000004
【図３】
2009522747.tif 000005
【図４】
2009522747.tif 000006
【図５Ａ】
2009522747.tif 000007
【図５Ｂ】
2009522747.tif 000008
【図６】
2009522747.tif 000009
【図７Ａ】
2009522747.tif 000010
【図７Ｂ】
2009522747.tif 000011
【図７Ｃ】
2009522747.tif 000012
【図７Ｄ】
2009522747.tif 000013
【図７Ｅ】
2009522747.tif 000014
【図７Ｆ】
2009522747.tif 000015
【図７Ｇ】
2009522747.tif 000016
【図７Ｈ】
2009522747.tif 000017
【図７Ｉ】
2009522747.tif 000018
【図８Ａ】
2009522747.tif 000019
【図８Ｂ】
2009522747.tif 000020
【図８Ｃ】
2009522747.tif 000021
【図８Ｄ】
2009522747.tif 000022
【図８Ｅ】
2009522747.tif 000023
【図８Ｆ】
2009522747.tif 000024
【図８Ｇ】
2009522747.tif 000025
【図８Ｈ】
2009522747.tif 000026
【図８Ｉ】
2009522747.tif 000027
【図９Ａ】
2009522747.tif 000028
【図９Ｂ】
2009522747.tif 000029
【図９Ｃ】
2009522747.tif 000030
【図９Ｄ】
2009522747.tif 000031
【図９Ｅ】
2009522747.tif 000032
【図９Ｆ】
2009522747.tif 000033
【図１０】
2009522747.tif 000034
【図１１】
2009522747.tif 000035
【図１２】
2009522747.tif 000036
【図１３】
2009522747.tif 000037
【図１４】
2009522747.tif 000038
【図１５】
2009522747.tif 000039
【図１６】
2009522747.tif 000040
【図１７Ａ】
2009522747.tif 000041
【図１７Ｂ】
2009522747.tif 000042
【図１８Ａ】
2009522747.tif 000043
【図１８Ｂ】
2009522747.tif 000044
【図１９】
2009522747.tif 000045
【図２０】
2009522747.tif 000046
【図２１】
2009522747.tif 000047
【図２２】
2009522747.tif 000048
【図２３】
2009522747.tif 000049
【図２４】
2009522747.tif 000050
【図２５】
2009522747.tif 000051
【図２６】
2009522747.tif 000052
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
それを通って延在する複数の開口部を有するオーガナイザープレートと、
複数の成端装置と、を備え、
各成端装置が、
前方端部及び後方端部を有する導電性外側遮蔽ボックスであって、その側面に配置された、少なくとも１つの外向きに延在する接地接触要素と、それから延在するラッチ部材とを有する遮蔽ボックス、
前記遮蔽ボックス内に配置された絶縁体、及び
前記絶縁体内に支持され、前記絶縁体により前記遮蔽ボックスから電気的に絶縁されたソケット接触子であって、前記遮蔽ボックスの前記前方端部と後方端部を通して電気的接続を作製するように構成された前記ソケット接触子、
を備える電気コネクタアセンブリであって、
個々の前記成端装置が前記オーガナイザープレートの対応する開口部に挿入される場合、前記ラッチ部材が前記オーガナイザープレートの表面と係合し、前記成端装置の前記対応する開口部からの抜き取りに耐える、電気コネクタアセンブリ。
【請求項２】
第一側部及び第二側部を有するアダプタをさらに備え、
前記アダプタの前記第一側部が、前記オーガナイザープレート及び成端装置を受容するよう構成され、
前記アダプタの前記第二側部が、前記成端装置遮蔽ボックスの前記前方端部を通してシグナルピンの配列を導くよう構成され、その中に前記ソケット接触子との電気的接続を作製し、前記遮蔽ボックスの前記接地接触要素との電気的接続へ接地ブレードの配列を導く、請求項１に記載の電気コネクタアセンブリ。
【請求項３】
各横列オーガナイザープレートが、頂縁部及び底縁部、前記頂縁部から前記底縁部へ延在する複数の第一スロット、並びに、前記底縁部から離れて前記頂縁部から延在する複数の整列腕部を画定する、複数の平面横列オーガナイザープレートと、
前記複数の横列オーガナイザープレートに対して交差するように位置づけられる複数の平面縦列オーガナイザープレートであって、各縦列オーガナイザープレートが、頂縁部及び底縁部、前記底縁部から前記頂縁部へ延在する複数の第二スロット、並びに、前記底縁部から離れて前記頂縁部から延在する複数の位置決めチャネルを画定する縦列オーガナイザープレートと、
を含む、電気コネクタアセンブリに用いるためのオーガナイザーであって、
前記横列オーガナイザープレートの前記第一スロットが、前記縦列オーガナイザープレートの前記第二スロットと噛み合い、前記横列オーガナイザープレートの前記整列腕部が、前記縦列オーガナイザープレートの前記位置決めチャネルにより保持される、前記オーガナイザー。
【請求項４】
中心コンダクタ及び前記中心コンダクタを取り囲む接地シールドを備える電気ケーブルと、
前記中心コンダクタに連結するソケット接触子と、
前記ソケット接触子の周囲に配置される絶縁性部材と、
前記絶縁性部材の周囲に配置され、前記接地シールドから離間する導電性遮蔽ボックスと、
前記接地シールド及び前記導電性遮蔽ボックスの間に配置されるはんだ付け可能なカラーであって、前記カラーが、前記カラー及び前記遮蔽ボックスの間の第一はんだ空隙と、前記カラー及び前記接地シールドの間の第二はんだ空隙とを画定するように構成されたカラーと、
を含む電気コネクタ。
【請求項５】
ケーブル用電気成端装置とともに用いられるリデューシングカラーであって、
前記成端装置が、
導電性遮蔽ボックスと、
接地シールドに取り囲まれる中心コンダクタを含むケーブルと、
を備え、
前記リデューシングカラーが、
内面と外面を画定する導電性本体を含み、
前記内面が前記ケーブル接地シールドを取り囲み、且つ、それから離間するように構成され、
前記外面が前記遮蔽ボックスの内部に嵌装され、且つ、それから離間するように構成される、リデューシングカラー。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
個々のプレートの組立体であって、当該組立体を通って延在する複数の開口部を有するオーガナイザープレート組立体と、
複数の成端装置と、を備え、
各成端装置が、
前方端部及び後方端部を有する導電性外側遮蔽ボックスであって、その側面に配置された、少なくとも１つの外向きに延在する接地接触要素と、それから延在するラッチ部材とを有する遮蔽ボックス、
前記遮蔽ボックス内に配置された絶縁体、及び
前記絶縁体内に支持され、前記絶縁体により前記遮蔽ボックスから電気的に絶縁されたソケット接触子であって、前記遮蔽ボックスの前記前方端部と後方端部を通して電気的接続を作製するように構成された前記ソケット接触子、
を備える電気コネクタアセンブリであって、
個々の前記成端装置が前記オーガナイザープレート組立体の対応する開口部に挿入される場合、前記ラッチ部材が前記オーガナイザープレート組立体の表面と係合し、前記成端装置の前記対応する開口部からの抜き取りに耐える、電気コネクタアセンブリ。
【請求項２】
第一側部及び第二側部を有するアダプタをさらに備え、
前記アダプタの前記第一側部が、前記オーガナイザープレート組立体及び成端装置を受容するよう構成され、
前記アダプタの前記第二側部が、前記遮蔽ボックスの前記前方端部を通してシグナルピンの配列を導くよう構成され、その中に前記ソケット接触子との電気的接続を作製し、前記遮蔽ボックスの前記接地接触要素との電気的接続へ接地ブレードの配列を導く、請求項１に記載の電気コネクタアセンブリ。
【請求項３】
複数の平面横列オーガナイザープレートであって、各横列オーガナイザープレートが、頂縁部及び底縁部、前記頂縁部から前記底縁部へ延在する複数の第一スロット、並びに、前記底縁部から離れて前記頂縁部から延在する複数の整列腕部を画定する、複数の平面横列オーガナイザープレートと、
前記複数の横列オーガナイザープレートに対して交差するように位置づけられる複数の平面縦列オーガナイザープレートであって、各縦列オーガナイザープレートが、頂縁部及び底縁部、前記底縁部から前記頂縁部へ延在する複数の第二スロット、並びに、前記底縁部から離れて前記頂縁部から延在する複数の位置決めチャネルを画定する、複数の平面縦列オーガナイザープレートと、
を含む、電気コネクタアセンブリに用いるためのオーガナイザーであって、
前記横列オーガナイザープレートの前記第一スロットが、前記縦列オーガナイザープレートの前記第二スロットと噛み合い、前記横列オーガナイザープレートの前記整列腕部が、前記縦列オーガナイザープレートの前記位置決めチャネルにより保持される、前記オーガナイザー。
【国際調査報告】
2009522747.tif 000053
2009522747.tif 000054